(57)【要約】【課題】障子下框から垂下片を垂下させ、下枠上面のスライド溝に嵌入させた引き違い障子において、障子のスライドをガイドする部分の強度を確保しつつ、一重断熱構造にて断熱性に優れた下枠上面略フラットのサッシ構造を提供する。【解決手段】建築物の屋外開口部に備えられた引き違い障子からなるサッシ構造において、外障子及び内障子の下框より垂下片を垂下させて下枠上面を略フラットに形成するとともに、下枠上面に設けた細い条状の外障子スライド溝及び内障子スライド溝にそれぞれ上記垂下片を嵌入させ、この外障子スライド溝と内障子スライド溝の間に位置するガイド部材のベース部を金属製で形成し、このベース部の上部に断熱部材を配設し、下枠の上記内障子スライド溝から室内側部分を、その室外側部分と断熱部材で連結する。【選択図】  図３
2004238958.tif 000002
【特許請求の範囲】
【請求項１】
建築物の屋外開口部に備えられた引き違い障子からなるサッシ構造において、外障子及び内障子の下框より垂下片を垂下させて下枠上面を略フラットに形成するとともに、下枠上面に設けた細い条状の外障子スライド溝及び内障子スライド溝にそれぞれ上記垂下片を嵌入させ、この外障子スライド溝と内障子スライド溝の間に位置するガイド部材のベース部を金属製で形成し、このベース部の上部に断熱部材を配設したことを特徴とする下枠フラットの断熱サッシ構造。
【請求項２】
建築物の屋外開口部に備えられた引き違い障子からなるサッシ構造において、外障子及び内障子の下框より垂下片を垂下させて、下枠上面を略フラットに形成するとともに、下枠上面に設けた細い条状の外障子スライド溝及び内障子スライド溝にそれぞれ上記垂下片を嵌入させ、下枠の上記内障子スライド溝から室内側部分を、その室外側部分と断熱部材で連結することにより、外部からの熱伝導を防いだことを特徴とする下枠フラットの断熱サッシ構造。
【請求項３】
請求項１記載のガイド部材のベース部を金属製で形成し、このベース部の上部に断熱部材を配設したサッシ構造に、請求項２記載の下枠構造を組み合わせたことを特徴とする下枠フラットの断熱サッシ構造。
【発明の詳細な説明】
【０００１】
【発明の属する技術分野】
本発明は、住宅等の建築物の屋外開口部に備えられる２枚又は４枚等の引き違い障子からなる、断熱性に優れた下枠上面フラットのサッシ構造に関する。
【０００２】
【従来の技術】
外障子と内障子からなる引き違い障子戸や引き違い窓において、従来の外障子用の突条状レールと内障子用の突条状レールとからなる下枠においては、この外障子用と内障子用とのレール間に断熱部材を挿入連結した構造の断熱サッシ構造が知られている。
【０００３】
しかし、下枠上面を略フラットに形成するために、例えば図４に示すように、外障子下框及び内障子下框からそれぞれ垂下片を垂下させ、下枠上面に外障子用スライド溝及び内障子用スライド溝を形成した構造にすると、下枠上面は、外障子スライド溝から室外側の部分Ａ、外障子スライド溝と内障子スライド溝との間の部分Ｂ、内障子スライド溝から室内側の部分Ｃの３つの部分に分けられることになる。
下枠を断熱構造にする場合に、図４（イ）に示すように内障子スライド溝を境にして、断熱部材で熱伝導を遮断しょうとしても、外障子と内障子が閉じた際には下枠上面のＢの部分は室内に露出することになり、この部分を断熱しないと熱伝導が大きく結露等の原因にもなる。
この外障子下框垂下片と内障子下框垂下片との間に挟まれた下枠上面は、障子のスライドをガイドする役割があることから、この部分を樹脂材等で形成するには強度上、弱いという課題が生じる。
【０００４】
しかし、図４（ロ）に示すように、外障子スライド溝の部分にも断熱材を挿入連結すると、下枠が二重断熱構造になりコストアップの原因となる。
また、下枠が強度的にも安定しなくなる。
【０００５】
【発明が解決しようとする課題】
本発明は上記従来技術に有する技術的課題に鑑みて、障子下框から垂下片を垂下させ、下枠上面のスライド溝に嵌入させた引き違い障子において、障子のスライドをガイドする部分の強度を確保しつつ、一重断熱構造にて断熱性に優れた下枠上面略フラットのサッシ構造の提供を目的とする。
【０００６】
【課題を解決するための手段】
請求項１記載の発明は、建築物の屋外開口部に備えられた引き違い障子からなるサッシ構造において、外障子及び内障子の下框より垂下片を垂下させて下枠上面を略フラットに形成するとともに、下枠上面に設けた細い条状の外障子スライド溝及び内障子スライド溝にそれぞれ上記垂下片を嵌入させ、この外障子スライド溝と内障子スライド溝の間に位置するガイド部材のベース部を金属製で形成し、このベース部の上部に断熱部材を配設した。
【０００７】
このように、下枠のガイド部材のベース部を、例えばアルミ押出形材等の金属製で形成することで、障子のスライドをガイドする際の強度が確保しやすく、その上面を樹脂等の断熱材で覆ったことにより、この部分の断熱性が向上する。
【０００８】
請求項２記載の発明は、建築物の屋外開口部に備えられた引き違い障子からなるサッシ構造において、外障子及び内障子の下框より垂下片を垂下させて、下枠上面を略フラットに形成するとともに、下枠上面に設けた細い条状の外障子スライド溝及び内障子スライド溝にそれぞれ上記垂下片を嵌入させ、下枠の上記内障子スライド溝から室内側部分を、その室外側部分と断熱部材で連結することにより、外部からの熱伝導を防いだ。
【０００９】
このようにして、下枠を内障子スライド溝より室内側部分をその室側部分から断熱材にて連結した一重断熱構造でありながら、下枠のガイド部材のベース部を金属製で形成し、上部のみを断熱部材にしたことにより、安価に製造できる構造に出来て、かつ、断熱性に優れる。
【００１０】
【発明の実施の形態】
本発明に係るサッシ構造の縦断面図を図１に示し、その横断面図を図２に示す。
また、下枠部分の拡大図を図３に示す。
建築物の躯体開口部に下枠１０、上枠２０及び室内から室外側に向かって右縦枠３０、左縦枠４０にて略方形の枠体を形成し、その開口部に室外側から順に、網戸７０、外障子５０、内障子６０がスライド開閉可能に取り付けられている。
なお、網戸は必要に応じて取り付けられるものである。
また、図に示した引き違い障子の場合には、外障子と内障子の２枚戸であるが、本発明は４枚戸等の引き違い障子等にも適用される。
【００１１】
上枠２０は、強度が確保しやすいアルミ押出材等の金属製からなる上枠ベース部材２０ａと２０ｃを樹脂材等の断熱部材２０ｄで連結し、断熱と意匠性を考慮して上枠室内部材２０ｂをその室内側に配設した構造になっている。
【００１２】
右縦枠３０及び左縦枠４０は、それぞれ金属製の縦枠ベース部材３０ａ、４０ａ、の室内側に樹脂製等の縦枠室内部材３０ｂ、４０ｂを連結した断熱構造になっている。
【００１３】
図３の拡大図に基づいて下枠構造を説明する。
下枠１０の下枠ベース部は、室外側下枠ベース部材１１と室内側下枠ベース部材１２を断熱部材１６にて連結して形成されている。
下枠ベース部材には、外障子５０の戸車５１ｃ及び内障子６０の戸車６１ｃが走行する小さな条状突起からなる擬似レール１９ａ、１９ｂが形成されている。
この擬似レール部分とは、独立して分離出来るように下枠カバー部材１５が下枠ベース部に着脱自在に取り付けられている。
下枠カバー部材１５を下枠ベース部に取り付けることにより、外障子５０の下框５１の室内側よりから垂下させた垂下片５１ｅがスライドする外障子用スライド溝１３ａが形成され、その下に排水用の外障子用下枠凹部１４ａが形成される。
【００１４】
また、この下枠カバー部材１５に外障子５０の下框垂下片５１ｅ及び内障子６０の下框垂下片６１ｅをガイドするガイド部材１５ｂが形成され、このガイド部材のベース部１５ｃは金属製で出来ていて、その上部にホルダー部を設けて樹脂材等の断熱材１５ａが取り付けられている。
これにより、この部分から熱伝導や結露の発生を防止している。
なお、このガイド部材にて、外障子下框の垂下片５１ｅの室内側に取り付けたタイト材５１ｆの摺接壁を形成するとともに、内障子６０の下框６１の室外側よりから垂下させた垂下６１ｅがスライドする内障子用スライド溝１３ｂの室外側部を形成し、その下に排水用の内障子用下枠凹部１４ｂが形成される。
このようにガイド部材を兼ねる下枠カバー部材１５が障子の戸車走行部より独立しているので、下枠カバー部材１５を引き違い障子の開閉に対して左右の開口部と中央部に分割して取り付けると、障子が一方に寄せて交互に下枠カバー部材を取り外すことができる。
この場合に中央部の下枠カバー部材は、障子召合部に対応した長さにするのがよい。
【００１５】
また、下枠１０の室内側よりの上面には、意匠性と断熱性を考慮して断熱室内部材１７が取り付けられ、下枠上面には全体として略フラットに形成されている。
下枠１０には下枠内部から室内（屋外）に雨水等を排水する排水穴１８及び逆止弁１８ａが設けられている。
【００１６】
外障子は、外障子下框５１、外障子上框５２、及び外障子戸当り框５３と外障子召合框５４にて略方形の枠を形成し、内側にガラス５５等が装着されている。
なお、図１、図２に示す例では、二重のペアガラスタイプになっている。
また、上記下框、上框、戸当り框は、それぞれ金属製のベース部材５１ａ、５２ａ、５３ａの室内側に樹脂材等の断熱材からなる室内部材５１ｂ、５２ｂ、５３ｂが連結されたフラットサッシ構造となっている。
【００１７】
外障子下框構造を図３にて説明する。
外障子の下框５１の室外側よりから外障子下框垂下片５１ｅが垂下され、下枠上面に形成した外障子用スライド溝１３ａに嵌入するようになっている。
外障子下框垂下片５１ｅの室内側には、タイト材５１ｆが取り付けられ、下枠のスライド溝側壁（下枠凹部）との間をシールする。
また、外障子下框の底部と下枠上面との間にタイト材５１ｇを取り付けてもよい。
外障子下框底部には戸車５１ｃが取り付けられ、戸車のタイヤの外周中央部は凹部形状５１ｄになっていて、擬似レール１９ａと当接回転するようになっている。
【００１８】
内障子６０は、内障子下框６１、上框６２、戸当り框６３、召合框６４で略方形の枠を形成され、ガラス６５等が取り付けられている。
なお、図１、図２に示す例では、二重のペアガラスタイプになっている。
また、上記下框、上框、戸当り框、召合框は、それぞれ金属製のベース部材６１ａ、６２ａ、６３ａ、６４ａの室内側に樹脂材等の断熱材からなる室内部材６１ｂ、６２ｂ、６３ｂ、６４ｂが連結されたクラッドサッシ構造となっている。
【００１９】
内障子の下框６１の室外側よりから内障子下框垂下片６１ｅが垂下され、下枠上面に形成した内障子用スライド溝１３ｂに嵌入ようになっている。
本発明においては、外障子下框の垂下片が室内側よりから垂下され、内障子がその逆に内障子下框の室外側よりから垂下片を垂下させた構造になっている。
内障子下框垂下片６１ｅの室内側にはタイト材６１ｆが取り付けられ、下枠のスライド溝側壁（下枠凹部）との間をシールする。
内障子下框底部には戸車６１ｃが取り付けられ、戸車のタイヤの外周中央部は凹部形状６１ｄになっていて、擬似レール１９ｂと当接回転するようになっている。
【００２０】
網戸７０は、下框７１、上框７２、左右の縦框７３、７４にて略方形の枠を形成し、枠内に網７５が張設されている。
網戸の下框には室内側よりから垂下片が垂下され、下枠のスライド溝に嵌入し、この垂下片と下枠のスライド溝にて虫押えラインを形成している。
【００２１】
【発明の効果】
本発明においては、下枠上面に外障子スライド溝と内障子スライド溝を形成して、下枠上面を外障子スライド溝より室外側、外障子スライド溝と内障子スライド溝の間、及び内障子スライド溝より室内側の３つの部分に分割した場合であっても、外障子スライド溝と内障子スライド溝の間の下枠のガイド部材ベース部を金属製にし、上部に断熱部材を取り付けた構造にしたことにより、内障子スライド溝の部分を境に下枠を室外側と室内側とに断熱部材で挿入連結し、分離した一重断熱構造で優れた断熱性が得られる。
従って、従来のように外障子より室外側、外障子と内障子との間、内障子より室内側の部分をそれぞれ断熱した二重断熱構造に比較して安価に製造でき、強度的にも高く、特に障子ガイド部の強度安定性に優れる。
【図面の簡単な説明】
【図１】本発明に係る断熱構造を適用したサッシの縦断面図を示す。
【図２】本発明に係る断熱構造を適用したサッシの横断面図を示す。
【図３】下枠の拡大図を示す。
【図４】従来の断熱構造例を示す。
【符号の説明】
１０    下枠
１１    室外側下枠ベース部材
１２    室内側下枠ベース部材
１３ａ  外障子用スライド溝
１３ｂ  内障子用スライド溝
１４ａ  外障子用下枠凹部
１４ｂ  内障子用下枠凹部
１５    下枠カバー部材
１５ａ  断熱部材
１５ｂ  ガイド部材
１５ｃ  ガイド部材ベース部
１６    断熱部材
１７    断熱室内部材
１８    下枠排水穴
１８ａ  逆止弁
１９ａ、１９ｂ  擬似レール
２０    上枠
２０ａ、２０ｃ  上枠ベース部材
２０ｂ  上枠室内部材
２０ｄ  断熱部材
３０    右縦枠
３０ａ  右縦枠ベース部材
３０ｂ  右縦枠室内部材
４０    左縦枠
４０ａ  左縦枠ベース部材
４０ｂ  左縦枠室内部材
５０    外障子
５１    外障子下框
５１ａ  外障子下框ベース部材
５１ｂ  外障子下框断熱室内部材
５１ｃ  外障子戸車
５１ｄ  外障子戸車凹部
５１ｅ  外障子下框垂下片
５１ｆ  外障子下框タイト材
６０    内障子
６１    内障子下框
６１ａ  内障子下框ベース部材
６１ｂ  内障子下框断熱室内部材
６１ｃ  内障子戸車
６１ｄ  内障子戸車凹部
６１ｅ  内障子下框垂下片
６１ｆ  内障子下框タイト材
７０    網戸
【図１】
2004238958.tif 000003
【図２】
2004238958.tif 000004
【図３】
2004238958.tif 000005
【図４】
2004238958.tif 000006